(57)【特許請求の範囲】
【請求項１】
接触による操作と非接触による操作との両方に対して使用され得るデータキャリアのためのモジュールであって、
前記モジュールは、組み込みコンポーネントを含み、該組み込みコンポーネントが、前記接触による操作のために使用されると共に通信局の対向コンタクトと導電性接続されたコンポーネント接続部を有し、且つ、前記非接触による操作のために使用されると共に非接触態様で動作する送信手段の対向コンタクトと導電性接続されたコンポーネント接続部を有し、
前記モジュールは、内側面と外側面とを有する基板を備え、
前記外側面上には、前記それぞれの対向コンタクトに接触可能なモジュール接続コンタクトを備えるコンタクト領域を有し、且つ、前記内側面上には、補助接続コンタクトを有し、
前記接触による操作のために使用される各々のコンポーネント接続部は、前記コンタクト領域の前記モジュール接続コンタクトと導電性接続され、前記非接触による操作のために使用される各々のコンポーネント接続部も、前記コンタクト領域の前記モジュール接続コンタクトと導電性接続され、前記非接触による操作のために使用される各々のコンポーネント接続部は、前記補助接続コンタクトにも導電性接続され、各々の前記補助接続コンタクトは、非接触態様で動作するように設計された前記送信手段の前記対向コンタクトと導電性接続されることを目的とし設計され、
前記基板は、その内側面上に、第一の接続アイレットと一の横方向突出バーとを備えた第一の回路ボード構成体を有し、前記第一の接続アイレットおよび前記一の横方向突出バーは、前記非接触による操作に利用されるコンポーネント接続部の一つと前記補助接続コンタクトの一つとの前記導電性接続に使用可能であり、
前記基板は、その内側面上に、第三の接続アイレットと他の横方向突出バーとを備えた第二の回路ボード構成体を有し、前記第三の接続アイレットおよび前記他の横方向突出バーは、前記非接触による操作に利用される他のコンポーネント接続部と前記補助接続コンタクトの他の一つとの前記導電性接続に使用可能であるモジュール。
【請求項２】
前記非接触による操作のために使用される前記コンポーネント接続部の１つを、前記モジュールの内側面上に設けられ、前記基板に接続された前記第一の回路ボード構成体の前記第一の接続アイレットに接続する第一のボンディングワイヤと、
前記第一の回路ボード構成体の第二の接続アイレットに接続され、前記基板の第一の穴を介して対応する前記モジュール接続コンタクトに接続される第二のボンディングワイヤと、
前記非接触による操作のために使用される他のコンポーネント接続部を前記モジュールの前記内側面に設けられ、前記基板に接続された前記第二の回路ボード構成体の前記第三の接続アイレットに接続する第三のボンディングワイヤと、
前記第二の回路ボード構成体の第四の接続アイレットに接続され、前記基板の第二の穴を介して対応するモジュール接続コンタクトに接続される第四のボンディングワイヤと、
をさらに備えた請求項１に記載のモジュール。
【発明の詳細な説明】
【技術分野】
【０００１】
本発明は、データキャリアのためのモジュールであって、前記データキャリアは、コンタクトによる操作（ｏｐｅｒａｔｉｏｎ  ｗｉｔｈ  ｃｏｎｔａｃｔ）とコンタクトによらない操作（ｏｐｅｒａｔｉｏｎ  ｗｉｔｈｏｕｔ  ｃｏｎｔａｃｔ）との両方の動作をサポートし、モジュールは、組み込みコンポーネント（ｉｎｔｅｇｒａｔｅｄ  ｃｏｍｐｏｎｅｎｔ）を含み、組み込みコンポーネントが、コンタクトによる操作に使用されると共にこの場合通信局（ｃｏｍｍｕｎｉｃａｔｉｏｎ  ｓｔａｔｉｏｎ）における対向コンタクト（カウンタコンタクト（ｃｏｕｎｔｅｒ  ｃｏｎｔａｃｔ））との導電性接続部（ｅｌｅｃｔｒｉｃａｌｌｙ  ｃｏｎｄｕｃｔｉｖｅ  ｃｏｎｎｅｃｔｉｏｎ）にもたらされるコンポーネント接続部（ｃｏｍｐｏｎｅｎｔ  ｃｏｎｎｅｃｔｉｏｎ）を有し、コンタクトによらない操作に使用されると共にこの場合コンタクトレス態様で動作する送信手段の対向コンタクトとの導電性接続部にもたらされるコンポーネント接続部を有し、モジュールは、対向コンタクトに接触可能なモジュール接続コンタクトを備えるコンタクト領域を有し、コンタクトによる操作のために使用される各々のコンポーネント接続部は、コンタクト領域のモジュール接続コンタクトとの導電性接続部にもたらされるモジュールに関する。
【０００２】
本発明は、第一の段落に記載の前述の実施例によるモジュールを含むと共に、コンタクトによる操作とコンタクトによらない操作との両方の動作をサポートするデータキャリアにも関する。
【０００３】
本発明は、第二の段落に記載の前述の実施例によるデータキャリアを動作させると共に収容するように設計され、デバイスに収容されていてもよいデータキャリアモジュールにおけるモジュール接続コンタクトがコンタクトされ得る対向コンタクトを有する通信局を含み、前記モジュール接続コンタクトは、コンタクトによる操作において使用されるコンポーネント接続部との導電性接続部にもたらされているデバイスにも関する。
【背景技術】
【０００４】
上記第一の段落に記載のモジュール、及び上記第二の段落に記載のデータキャリアに関して、米国特許第６１４５７４９Ａ号が参照され得る。当該特許から、コンタクトによる操作とコンタクトによらない操作との両方において使用され得るデータキャリアが知られている。知られているデータキャリアは、コンタクト領域のモジュール接続コンタクトとの導電性接続部にもたらされるいくつかのコンポーネント接続部を有する組み込みコンポーネントを有している。更に組み込みユニットは、コンタクトレス態様で動作する送信手段として設けられる送信コイルとの導電性接続部のための二つの更なる他のコンポーネント接続部を有している。前記二つの他のコンポーネント接続コンタクトは、米国特許第６１４５７４９Ａ号に更に詳細に記載されていない二つの更なるモジュール接続コンタクトとの導電性接続部にもたらされ、前記二つの更なるモジュール接続コンタクトは各々、コンタクトされると共に送信コイルの対向コンタクトとの導電性接続部にもたらされる。従って、知られている実施例において、モジュールとの、それ故に組み込みユニットとの、送信コイルの導電性接続部のために更なるモジュール接続コンタクトが必要とされる。このことは、多くの用途において不要な追加費用をもたらし、ときに所望されないエラー源（ｓｏｕｒｃｅ  ｏｆ  ｅｒｒｏｒ）をもたらし得るので、この状況は改善される必要がある。
【発明の開示】
【発明が解決しようとする課題】
【０００５】
本発明の目的は、上記の問題を回避し、改善されたモジュールと、改善されたデータ媒体と、改善されたデバイスとをもたらすことにある。
【課題を解決するための手段】
【０００６】
この目的を達成するために、本発明によるモジュールは本発明による特徴を備えるので、本発明によるモジュールは以下の態様で特徴付けられてもよい。
【０００７】
すなわち、コンタクトによる操作とコンタクトによらない操作との両方に対して使用され得るデータキャリアのためのモジュールであって、モジュールは、組み込みコンポーネントを含み、組み込みコンポーネントが、コンタクトによる操作のために使用されると共にこの場合通信局の対向コンタクトとの導電性接続部にもたらされるコンポーネント接続部を有し、コンタクトによらない操作のために使用されると共にこの場合コンタクトレス態様で動作する送信手段の対向コンタクトとの導電性接続部にもたらされるコンポーネント接続部を有し、モジュールは、対向コンタクトに接触可能なモジュール接続コンタクトを備えるコンタクト領域を有し、コンタクトによる操作のために使用される各々のコンポーネント接続部は、コンタクト領域のモジュール接続コンタクトとの導電性接続部にもたらされ、コンタクトによらない操作のために使用される各々のコンポーネント接続部も、コンタクト領域のモジュール接続コンタクトとの導電性接続部にもたらされるモジュールである。
【０００８】
更に、上記目的を達成するために、本発明によるデータキャリアは本発明による特徴を備えるので、本発明によるデータキャリアは以下の態様で特徴付けられてもよい。
【０００９】
すなわち、コンタクトによる操作とコンタクトによらない操作との両方の動作をサポートするために使用され得ると共にモジュールを有するデータキャリアであって、モジュールは、組み込みコンポーネントを含み、組み込みコンポーネントが、コンタクトによる操作のために使用されると共にこの場合通信局の対向コンタクトとの導電性接続部にもたらされるコンポーネント接続部を有し、コンタクトによらない操作のために使用されると共にこの場合コンタクトレス態様で動作する送信手段の対向コンタクトとの導電性接続部にもたらされるコンポーネント接続部を有し、モジュールは、対向コンタクトに接触可能なモジュール接続コンタクトを備えるコンタクト領域を有し、コンタクトによる操作のために使用される各々のコンポーネント接続部は、コンタクト領域のモジュール接続コンタクトとの導電性接続部にもたらされ、コンタクトによらない操作のために使用される各々のコンポーネント接続部も、コンタクト領域のモジュール接続コンタクトとの導電性接続部にもたらされるデータキャリアである。
【００１０】
上記目的を達成するために、本発明によるデバイスは本発明による特徴を備えるので、本発明によるデバイスは以下の態様で特徴付けられてもよい。
【００１１】
すなわち、本発明によるデータキャリアを動作させると共に収容するように設計され、通信局を含むデバイスであって、デバイスは対向コンタクトを有し、対向コンタクトは、デバイスに収容され得るデータキャリアのモジュールのモジュール接続コンタクトとのコンタクトにもたらされてもよく、モジュール接続コンタクトは、コンタクトによる操作のために使用されるコンポーネント接続部との導電性接続部にもたらされ、デバイスは、コンタクトレス態様で動作すると共に対向コンタクトを有する送信手段を有し、対向コンタクトは、デバイスに収容され得るデータキャリアのモジュール接続コンタクトとのコンタクトにもたらされてもよく、モジュール接続コンタクトは、コンタクトによらない操作のために使用されるコンポーネント接続部との導電性接続部にもたらされるデバイスである。
【００１２】
本発明による特徴をもたらすことは、モジュールのコンタクト領域におけるモジュール接続コンタクトが、コンタクトレス態様で動作する送信手段との導電性接続部のために使用され、又は使用され得ることを保証する、構造的に簡単且つ確実な態様となる。そのため、モジュールにおけるコンタクト領域から空間的に（ｓｐａｔｉａｌｌｙ）分離されていると共に追加的に設けられる、別個のモジュール接続コンタクトは不要であり、それ故に省略されてもよい。このことは、欠陥に対する低い影響の受け易さ（ｌｏｗ  ｓｕｓｃｅｐｔｉｂｉｌｉｔｙ  ｔｏ  ｆａｕｌｔ）と、高度の信頼性（ｒｅｌｉａｂｉｌｉｔｙ）と、簡単な構造の実施例とに関して有利となる。本発明に関して、コンタクト領域において既に設けられているが、コンタクトによる操作のために使用されない、モジュールのコンタクト領域におけるこの種類のモジュール接続コンタクトが、コンタクトレス態様で動作する送信手段の対向コンタクトとの導電性接続部のために使用される場合、特に有利となることが分かっている。このことにより、コンタクト領域が規格ＩＳＯ７８１６−２（Ｓｔａｎｄａｒｄ  ＩＳＯ  ７８１６−２）に従って設計される場合特に有利となる、特に簡単な構造の実施例が実現されるためであり、それから既に設けられているがコンタクトによる操作のために使用されていないモジュール接続コンタクトが、本発明によれば送信手段の対向コンタクトを導電性接続部にもたらすために使用され得るからである。
【００１３】
本発明によるデータキャリア及び本発明によるモジュールにおいて、請求項２又は請求項５に基づく特徴がもたらされる場合、極めて有利となることが分かっている。このことにより、本発明によるデータキャリア又は本発明によるモジュールにおける組み込みユニットは、データキャリア又はモジュールに関連する外部送信キャリア（ｅｘｔｅｒｎａｌ  ｔｒａｎｓｍｉｓｓｉｏｎ  ｃａｒｒｉｅｒ）と当該目的のためにもたらされるコンタクト領域のモジュール接続コンタクトとの間に導電性接続部をもたらすだけでなく、更に例えばデータキャリアの、内部に設けられている送信手段は、補助接続コンタクト（ｓｕｐｐｌｅｍｅｎｔａｒｙ  ｃｏｎｎｅｃｔｉｎｇ  ｃｏｎｔａｃｔ）によって組み込みユニットとの導電性接続部を備え得ることが保証される。
【００１４】
従って本発明によるデバイスにおいて、本発明による手段をもたらすことにより、本発明によるデータキャリアを前記デバイスに挿入することによって送信媒体は本発明によるデバイスにもたらされることが可能となり、前記送信媒体は、送信手段の対向コンタクトを介して当該目的のためにもたらされるデータキャリアのモジュール接続コンタクトとのアクティブな接続部（ａｃｔｉｖｅ  ｃｏｎｎｅｃｔｉｏｎ）に自動的にもたらされるため、本発明による手段は特に有利となることが分かっている。そのため、本発明によるデータキャリアを挿入し、これによりもたらされる送信手段との導電性接続部を設けた後、コンタクトによらない操作の動作に適しているデータキャリア構成体が実現される。この場合、送信手段は、前記デバイスにおけるデータキャリアから独立に実現され、それ故にデータキャリアのディメンションから独立にディメンションが決められ得ることは特に有利となる。このことにより、例えば送信手段としての送信コイルの場合、送信コイルの有効面積（ｅｆｆｅｃｔｉｖｅ  ａｒｅａ）はデータキャリアの領域よりもずっと大きくなるようにされてもよいという利点がもたらされる。
【００１５】
本発明の上記の態様及び更なる態様は、以下の実施例からもたらされてもよく、当該実施例を使用して記載される。
【００１６】
本発明は、図面に示されている実施例を参照して、しかしながら本発明を限定することなく、より詳細に以下記載されるであろう。
【発明を実施するための最良の形態】
【００１７】
図１はモジュール１を示している。モジュール１は、フレキシブルエポキシテープ（ｆｌｅｘｉｂｌｅ  ｅｐｏｘｙ  ｔａｐｅ）を使用して製造される基板２を有している。モジュール１は、図１によれば、観測者（ｏｂｓｅｒｖｅｒ）に面する基板２の側にもたらされている内側（ｉｎｔｅｒｎａｌ  ｓｉｄｅ）を有している。更にモジュール１は、図１によれば、観測者から離れる方向の基板２の側にもたらされている外側（ｅｘｔｅｒｎａｌ  ｓｉｄｅ）を有している。モジュール１はデータキャリア３の使用のために設計されると共に意図される。この種のデータキャリア３が図３に示されている。データキャリア３は、コンタクトによる操作とコンタクトによらない操作との両方の動作を補助又はサポートするために使用されてもよい。
【００１８】
図１によるモジュール１は、例えば接着接続部（ｂｏｎｄｅｄ  ｊｏｉｎｔ）によってモジュール１の内側における基板２に接続される組み込みコンポーネント４を含んでいる。組み込みコンポーネント４は七つのコンポーネント接続部Ａ１、Ａ２、Ａ３、Ａ４、Ａ５、Ａ７、及びＡ８を有している。当該七つのコンポーネント接続部のうち、五つのコンポーネント接続部Ａ１、Ａ２、Ａ３、Ａ５、及びＡ７は、コンタクトによる操作のために使用され、この場合通信局における対向コンタクトとの導電性接続部にもたらされる。しかしながら、このことは図１に示されていない。二つの他のコンポーネント接続部Ａ４及びＡ８は、コンタクトレス操作のために使用され、この場合コンタクトレス態様で動作する送信手段の対向コンタクトとの導電性接続部にもたらされる。しかしながら、ここでもこのことは図１に示されていない。
【００１９】
更にモジュール１は、モジュール１の外側に設けられる、対向コンタクトに接触可能なコンタクト領域５を有している。この場合コンタクト領域５は、全部で八つのモジュール接続コンタクト（ｍｏｄｕｌｅ  ｃｏｎｎｅｃｔｉｎｇ  ｃｏｎｔａｃｔ）Ｃ１、Ｃ２、Ｃ３、Ｃ４、Ｃ５、Ｃ６、Ｃ７、及びＣ８を有している。モジュール接続コンタクトＣ１乃至Ｃ８はモジュール１の外側において基板２に接続される。ここで、モジュール接続コンタクトＣ１乃至Ｃ８は、銅ホイル（ｃｏｐｐｅｒ  ｆｏｉｌ）が、基板２を製造するために使用されるエポキシテープの全領域におけるラミネーティング（貼り合わせ）工程（ｌａｍｉｎａｔｉｎｇ  ｐｒｏｃｅｄｕｒｅ）で設けられ、それからモジュール接続コンタクトＣ１乃至Ｃ８を互いに分離するエッチング工程によって前記全領域に設けられる銅フィルム（ｃｏｐｐｅｒ  ｆｉｌｍ）で遮断部（ｉｎｔｅｒｒｕｐｔｉｏｎ）が作られる態様で基板２に設けられる金メッキされた銅層（ｇｏｌｄ−ｐｌａｔｅｄ  ｃｏｐｐｅｒ  ｌａｙｅｒ）によって形成される。モジュール接続コンタクトＣ１乃至Ｃ８の製造は、完成されたモジュール１においてまずパンチングプロセス（ｐｕｎｃｈｉｎｇ  ｐｒｏｃｅｓｓ）によって遮断部が連続的な銅ホイル（ｃｏｎｔｉｎｕｏｕｓ  ｃｏｐｐｅｒ  ｆｏｉｌ）に設けられ、遮断部はモジュール接続コンタクトＣ１乃至Ｃ８を分離する役割を果たし、それからパンチングされた銅フィルムが、ラミネーティング工程によって基板２を製造するために使用されるフレキシブルエポキシテープに接続される態様で行われてもよい。ストリップ形状の構成体で多数のモジュール１を製造するために二つの製造工程が使用される。個々のモジュール１はストリップ形状の構成体からパンチングされる。コンタクト領域５が規格ＩＳＯ７８１６−２に従って設計されることも言及されるべきである。
【００２０】
モジュール１において、コンタクトによる操作のために使用される各々のコンポーネント接続部Ａ１、Ａ２、Ａ３、Ａ５、及びＡ７は、ボンディングワイヤ（ｂｏｎｄｉｎｇ  ｗｉｒｅ）Ｂ１、Ｂ２、Ｂ３、Ｂ５、及びＢ７を使用する、モジュール接続コンタクトＣ１、Ｃ２、Ｃ３、Ｃ５、及びＣ７との導電性接続部を有している。ここで、ボンディングワイヤＢ１、Ｂ２、Ｂ３、Ｂ５、及びＢ７の各々の一方の端部は、関連するコンポーネント接続部Ａ１、Ａ２、Ａ３、Ａ５、及びＡ７に接続され、他方の端部は、関連するモジュール接続コンタクトＣ１、Ｃ２、Ｃ３、Ｃ５、及びＣ７に接続される。各々の場合、基板２に設けられる穴（ホール（ｈｏｌｅ））Ｈ１、Ｈ２、Ｈ３、Ｈ５、及びＨ７を介している。
【００２１】  モジュール１のある一つの特に有利な実施例において、コンタクトによらない操作のために使用されるコンポーネント接続部Ａ４及びＡ８の各々は、コンタクト領域５においてモジュール接続コンタクトＣ４及びＣ８との導電性接続部も有している。図１によるモジュール１において、当該導電性接続部は以下に記載されるように実現される。モジュール接続コンタクトＡ４から開始されて、ボンディングワイヤＢ４’が、基板２に接続されると共にモジュール１の内側に設けられる第一の回路ボード構成体（ｃｉｒｃｕｉｔ  ｂｏａｒｄ  ｃｏｎｆｉｇｕｒａｔｉｏｎ）７の第一の接続アイレット（円小穴（ｅｙｅｌｅｔ））６に接続される。第一の回路ボード構成体７は第二の接続アイレット８を有している。第二の接続アイレット８から他のボンディングワイヤＢ４”が基板２における穴Ｈ４を介してモジュール接続コンタクトＣ４にもたらされる。コンポーネント接続部（ｃｏｍｐｏｎｅｎｔ−ｃｏｎｎｅｃｔｉｏｎ）Ａ８から、ボンディングワイヤＢ８’は、第二の回路ボード構成体１０において第三の接続アイレット９にもたらされ、接続アイレット９に接続される。第二の回路ボード構成体１０は、第四の接続アイレット１１を有している。第四の接続アイレット１１から他のボンディングワイヤＢ８”が基板２における穴Ｈ８を介してモジュール接続コンタクトＣ８にもたらされる。これにより、ボンディングワイヤＢ４’と第一の回路ボード構成体７と他のボンディングワイヤＢ４”とを使用してコンポーネント接続部Ａ４とモジュール接続コンタクトＣ４との間の接続部が設けられる。ボンディングワイヤＢ８’と第二の回路ボード構成体１０と他のボンディングワイヤＢ８”とを使用してコンポーネント接続部Ａ８とモジュール接続コンタクトＣ８との間の導電性接続部が実現される。【００２２】
図１には示されていないが、更に図１によるモジュール１において、コンタクトによらない操作のために使用されるコンポーネント接続部Ａ４及びＡ８の各々が、補助接続コンタクトＺ１及びＺ２に対する導電性接続部も有し、補助接続コンタクトＺ１及びＺ２の各々は、コンタクトレス態様で動作する送信手段の対向コンタクトを導電性接続部にもたらすように意図されると共に設計されるように実施例は選択される。補助接続コンタクトＺ１とのコンポーネント接続部Ａ４の導電性接続部に対して、第一の回路ボード構成体７は横方向突出バー（ｌａｔｅｒａｌｌｙ  ｐｒｏｔｒｕｄｉｎｇ  ｂａｒ）１２を有している。同様に、補助接続コンタクトＺ２とのコンポーネント接続部Ａ８の導電性接続部に対して、第二の回路ボード構成体１０は横方向突出バー１３を有している。
【００２３】
図２は、コンタクトによらない操作で使用されるコンポーネント接続部Ａ４及びＡ８と、コンタクト領域５のモジュール接続コンタクトＣ４及びＣ８との間の導電性接続部の実施例において、基本的に図１によるモジュール１と異なる他のモジュール１を示している。図１によるモジュール１において、コンポーネント接続部Ａ４と、モジュール接続コンタクトＣ４との間の接続部が、たった一つのボンディングワイヤＢ４を使用して実現されている。同様に、コンポーネント接続部Ａ８と、モジュール接続コンタクトＣ８との間の導電性接続部が、一つのボンディングワイヤＢ８を使用して実現されている。
【００２４】
モジュール１の二つの上記実施例に関して、基板２における穴Ｈ６及びモジュール接続部Ｃ６が使用されないことは注意される。
【００２５】
既に言及されたように、図３は、図１によるモジュールを備えるデータキャリア３を示している。更に、コンタクトレス通信の場合、データキャリア３は、図３に概略的にのみ示されている送信コイル１４を含む。送信コイル１４は、五つの巻線１５、１６、１７、１８、及び１９を有している。更に送信コイル１４は、モジュール１において補助接続コンタクトＺ１及びＺ２に接続されると共に送信コイル１４の対向コンタクト２０及び２１を形成する二つのコイル接続部２０及び２１を有している。このように、更なる対策及び手段を講じることなく、コンタクトによる操作の動作とコンタクトによらない操作の動作との両方に適しているデータキャリア３が実現される。
【００２６】
しかしながら、図３によるデータキャリア３に関して、このデータキャリア３が前記実施例の他の変形例において実現されてもよいことは注意されるべきである。前記実施例のこの変形例において、データキャリア３自体は送信コイルを含まず、図１によるモジュール１のみを含む。データキャリア３の前記実施例のこの変形例は、そのとき送信コイルを含むこの装置を使用して好適に設計される装置において使用されることが意図され、前記装置に含まれる前記送信コイルは、モジュール接続コンタクトＣ４及びＣ８を介した、組み込みコンポーネント４のコンポーネント接続部Ａ４及びＡ８との導電性接続部になる。そのため、図３によるデータキャリア３の前記実施例の変形例の、上記装置への挿入後、コンタクトレス通信の可能なデータキャリア構成体が実現され、当該データキャリア構成体は、データキャリア３に対する外部送信コイル（ｅｘｔｅｒｎａｌ  ｔｒａｎｓｍｉｓｓｉｏｎ  ｃｏｉｌ）及びたった一つのモジュール１を含むデータキャリア３から構成される。
【００２７】
図４は、本発明によるデバイス２２を示している。デバイス２２はいわゆるモバイル電話である。デバイス２２は筐体（ハウジング（ｈｏｕｓｉｎｇ））２３を有している。筐体２３から送信／受信アンテナ２４が突出している。更にデバイス２２は、概略的に示されているディスプレイデバイス２５を有している。
【００２８】
デバイス２２はデータキャリア３を動作させると共に収容するためのものである。この場合、データキャリア３は図２によるモジュール１を含む。しかしながら、図４はコンタクト領域５の概略的な表示をするのみである。コンタクト領域５は、モジュール接続コンタクトＣ１、Ｃ２、Ｃ３、Ｃ４、Ｃ５、Ｃ６、Ｃ７、及びＣ８から構成される。
【００２９】
デバイス２２は、対向コンタクト２７、２８、２９、３０、及び３１を有する通信局２６を含んでいる。当該対向コンタクトにより、デバイス２２に収容されているデータキャリア３のモジュール１におけるモジュール接続コンタクトＣ１、Ｃ２、Ｃ３、Ｃ５、及びＣ７がコンタクトされる。モジュール接続コンタクトＣ１、Ｃ２、Ｃ３、Ｃ５、及びＣ７は、コンタクトＡ１、Ａ２、Ａ３、Ａ５、及びＡ７による操作において使用されるコンポーネント接続部との導電性接続部にもたらされている。
【００３０】
更にデバイス２２は、デバイス２２において送信コイル３２によって形成される、コンタクトレス態様で動作する送信手段を有している。送信コイル３２は対向コンタクト３３及び３４を有している。当該対向コンタクトにより、デバイス２２におけるデータキャリア３のモジュール接続コンタクトＣ４及びＣ８がコンタクトされる。モジュール接続コンタクトＣ４及びＣ８は、コンタクトによらない操作のために使用されるコンポーネント接続部Ａ４及びＡ８との導電性接続部にもたらされている。
【００３１】
コンタクトレス通信に必要とされる送信コイル３２がデバイス２２内に含まれており、このことは、送信コイルがずっと小さなデータキャリア３に含まれなければならない場合と比べて、送信コイル３２はずっと大きく設計されてもよいという利点を有するため、デバイス２２はデータキャリア３が送信コイルなしで設計されてもよいという利点を有している。データキャリア３をデバイス２２に挿入すると、モジュール接続コンタクトＣ４及びＣ５は、送信コイル３２における対向コンタクト３３及び３４との導電性接続部を自動的に設ける。それによってコンタクトレス通信に適しているデータキャリア構成体が実現される。既に設けられているモジュール接続コンタクトＣ４及びＣ８によって送信コイル３２との導電性接続部が製造されると、構造的に特に簡単な設計が実現される。
【００３２】
デバイス２２の場合、モジュール接続コンタクトＣ４及びＣ８とのアクティブな接続部（ａｃｔｉｖｅ  ｃｏｎｎｅｃｔｉｏｎ）にもたらされ得る二つの他の対向コンタクトを通信デバイス２６が備える態様、並びに送信コイル３２が通信デバイス２６に接続される態様ももたらされ得るので、そのとき送信コイル３２との導電性接続部を備えているコンポーネント接続部Ａ４及びＡ８と送信コイル３２との間の導電性接続部が通信局２６を介して設けられる。この種類の実施例の一つの利点は、ほんの少しの調整（ａｄａｐｔａｔｉｏｎ）しか必要としない商用入手可能なデータキャリアコンタクト装置が、本発明によるモジュール又は本発明によるデータキャリアにおけるモジュール接続コンタクトに対する導電性接続部のために使用されてもよいことにある。
【００３３】
上記のデータキャリア３及び上記のデバイス２２の場合、コンタクトレス態様で動作する送信媒体（ｔｒａｎｓｍｉｓｓｉｏｎ  ｍｅｄｉａ）が送信コイル１４又は３２から各々形成される。しかしながら、送信コイルの代わりに、静電又は容量性動作（ｅｌｅｃｔｒｏｓｔａｔｉｃ  ｏｒ  ｃａｐａｃｉｔｉｖｅ  ａｃｔｉｏｎ）を送信手段にもたらすことも可能である。
【００３４】
以上は、本発明によるデバイス２２としてのモバイル電話を記載したものである。本発明による手段は、明らかなことに、多数の他のデバイス及び装置において使用されてもよい。
【図面の簡単な説明】
【００３５】
【図１】本発明の第一の実施例によるモジュールを、実寸法と比較して非常に増大させた寸法且つ上面図で示している。
【図２】本発明の第二の実施例によるモジュールを、図１と同様の態様で示している。
【図３】図１によるモジュールを収容している、データ媒体を備える本発明の実施例によるデータ媒体を上面図で示している。
【図４】概略的にのみ示しているが、モバイル電話を有し、データ媒体が図２によるデバイスに収容されている本発明の実施例によるデバイスを概略的な態様で示している。
【図１】
0004447907.tif 000002
【図２】
0004447907.tif 000003
【図３】
0004447907.tif 000004
【図４】
0004447907.tif 000005